(57)【要約】【課題】金型により成形可能であって、複数の直進溝を備えた耐衝撃性が高い円筒状のレンズ枠を提供する。【解決手段】カムフォロア４ｃ，５ｃが光軸に沿って摺動する直進溝７ｄ，７ｅを有し、該直進溝が射出成形金型である内型スライド５２と、該内型スライド５２とスライド方向が交差する外型スライド５４とにより形成される直進ガイド枠７であって、直進溝７ｄには段差面部７ｄ1と、該段差面部を境に内径側溝の一対の内壁面７ｄ0，７ｄ00と、外径側溝の一対の内壁面７ｄ2，７ｄ3とが設けられ、上記一対の内壁面の一方の内壁面７ｄ0は、内型スライド５２にて形成し、段差面部７ｄ1と、他方の内壁面７ｄ00と、上記一対の内壁面の一方の内壁面７ｄ2，他方の内壁面７ｄ3とは外型スライド５４により形成する。【選択図】図８
2010262237.tif 000002
【特許請求の範囲】
【請求項１】
円筒部分を有し、該円筒部分に、光軸に沿って形成された複数の直進溝を有し、金型により射出形成され、該直進溝が内型スライドと、内型スライドとスライド方向が交差する外型スライドとの突き合わせにより形成された円筒状のレンズ枠であって、
該直進溝には円筒厚みの径方向の途中に、円周方向に沿う円周面である上記外型スライドにより形成された段差面部、若しくは、溝幅中心と円筒中心とを結ぶ線分に対し直交する平面である上記外型スライドにより形成された段差面部を有し、該段差面部を境に、内径側溝と、円筒部内径側の内径溝の溝幅より幅広い溝幅の外径側溝とが形成され、該内径側溝は互いに対向する一対の内壁面を有し、該一対の内壁面の一方の内壁面は、上記内型スライドにて形成され、他方の内壁面は、外型スライドにより形成され、該外径側溝は一対の壁面からなり、該一対の壁面の一方の内壁面は上記外型スライドにより形成され、他方の内壁面も上記外型スライドにより形成されたことを特徴とする円筒状のレンズ枠。
【請求項２】
上記外型スライドにより形成された３つの内壁面は、上記外型スライドのスライド方向に対しアンダーカットとならない面として形成されたことを特徴とした請求項１記載の円筒状のレンズ枠。
【請求項３】
上記外径側溝の上記一対の壁面の一方の内壁面の法線は、上記外型スライドのスライド方向となす角度が９０°以下であることを特徴とする請求項１記載の円筒状のレンズ枠。
【請求項４】
円筒部分を有し、該円筒部分に、光軸に沿って形成された複数の直進溝を内型スライドと、内型スライドとスライド方向が交差する外型スライドとの突き合わせにより形成される円筒状のレンズ枠を成型する金型において、
該直進溝に円筒厚みの径方向の途中に、円周方向に沿う円周面である上記外型スライドにより形成された段差面部、若しくは、溝幅中心と円筒中心とを結ぶ線分に対し直交する平面である上記外型スライドにより段差面部を形成し、該段差面部を境に、内径側溝と、円筒部内径側の内径溝の溝幅より幅広い溝幅の外径側溝とを形成し、該内径側溝は互いに対向する一対の内壁面を有し、該一対の内壁面の一方の内壁面は上記内型スライドにて形成し、他方の内壁面は外型スライドにより形成し、該外径側溝は一対の壁面からなり該一対の壁面の一方の内壁面は上記外型スライドにより形成し、他方の内壁面も上記外型スライドにより形成することを特徴とする円筒状のレンズ枠を製作するための金型。
【請求項５】
上記外径側溝の上記一対の壁面の一方の内壁面（第３の内壁面）を形成する外型スライドの面の法線は上記外側スライド型のスライド方向となす角度が９０°以上であることを特徴とする請求項４記載の円筒状のレンズ枠を製作するための金型。
【発明の詳細な説明】
【技術分野】
【０００１】
本発明は、円筒状のレンズ枠および該レンズ枠を製作するための金型に関する。
【背景技術】
【０００２】
従来、金型により成形可能なカム溝を備えた円筒状のレンズ枠および該金型に関して特許文献１に開示されたものは、レンズ光軸に対して斜行し、かつ、平行な壁面をもつカム溝を備えたレンズ枠であるカム環と、該カム環を高精度で射出成形するための金型に関するものである。通常の外型と内型からなる分割スライド金型により上記カム溝を成形するとアンダーカット形状となることで成形不可である。そこで、特許文献１に提案された分割スライド金型は、対向するカム溝のスライド外型とスライド内型とを上記カム溝のアンダーカット部分が生じることのないように突き当て接合型にすることにより高精度な成形を可能にするものであった。
【０００３】
一方、耐衝撃性を向上させる構造をもつレンズ枠として、図９の光軸直交断面図に示す光軸方向の壁面１０１ｄ2，１０１ｅ2を持つ段部１０１ｄ1，１０１ｅ1付きの直進溝１０１ｄ，１０１ｅが円周上に存在するような円筒状のレンズ枠１０１が考えられる。このレンズ枠１０１の段付き直進溝１０１ｄ，１０１ｅには、カムフォロア付きのガイド部（図示せず）が摺動可能に挿入される。レンズ枠１０１に衝撃力が作用したとき、上記カムフォロアのカム溝（図示せず）からの抜け出しが上記直進溝の段部によって防止される。
【先行技術文献】
【特許文献】
【０００４】
【特許文献１】特開２００１−３３６６０７号公報
【発明の概要】
【発明が解決しようとする課題】
【０００５】
図９に示す円筒状のレンズ枠１０１を内型スライド１０２と凸部１０３ａ，１０３ｂをもつ外型スライド１０３からなるスライド金型で成形する場合、内型スライド１０２のスライド方向Ｄ5、外型スライド１０３のスライド方向Ｄ6（直進溝１０１ｅの溝幅に垂直な方向）とし、レンズ枠１０１の内周面をパーティング面にすると、一方の直進溝１０１ｅは、アンダーカットが生じることなく成形できる。しかし、片方の段付き直進溝１０１ｄの一方の溝壁面１０１ｄ0と段部壁面１０１ｄ22がアンダーカット状になり、成形できない。また、図１０の光軸直交断面図に示すようにレンズ枠１０１の直進溝の段部１０１ｄ1に沿った面をパーティング面とすると、直進溝１０１ｄの一方の溝壁面１０１ｄ00および他方の段部壁面１０１ｄ22がアンダーカット状になり、やはり成形できない。
【０００６】
そこで、特許文献１に開示された分割スライド金型の構造を適用し、図１１の光軸直交断面図に示すようにスライド型の凸部１０３ａ，１０２ａに傾斜突き合わせ面１０２ｅ，１０３ｅを設けて成形したとする。しかし、直進溝１０１ｄの段部の壁面１０１ｄ22がアンダーカット状になり、成形できない。
【０００７】
本発明は、上述の不具合を解決するためになされたものであり、金型により成形可能であり、複数の直進溝を備え、耐衝撃性が高い円筒状のレンズ枠、および、該円筒状のレンズ枠を製作するための金型を提供する。
【課題を解決するための手段】
【０００８】
上記課題を解決するために本発明の円筒状のレンズ枠は、円筒部分を有し、該円筒部分に、光軸に沿って形成された複数の直進溝を有し、金型により射出形成され、該直進溝が内型スライドと、内型スライドとスライド方向が交差する外型スライドとの突き合わせにより形成された円筒状のレンズ枠であって、該直進溝には円筒厚みの径方向の途中に、円周方向に沿う円周面である上記外型スライドにより形成された段差面部、若しくは、溝幅中心と円筒中心とを結ぶ線分に対し直交する平面である上記外型スライドにより形成された段差面部を有し、該段差面部を境に、内径側溝と、円筒部内径側の内径溝の溝幅より幅広い溝幅の外径側溝とが形成され、該内径側溝は互いに対向する一対の内壁面を有し、該一対の内壁面の一方の内壁面は、上記内型スライドにて形成され、他方の内壁面は、外型スライドにより形成され、該外径側溝は一対の壁面からなり、該一対の壁面の一方の内壁面は上記外型スライドにより形成され、他方の内壁面も上記外型スライドにより形成される。
【０００９】
本発明の円筒状のレンズ枠を成形するための金型は、円筒部分を有し、該円筒部分に、光軸に沿って形成された複数の直進溝を内型スライドと、内型スライドとスライド方向が交差する外型スライドとの突き合わせより形成される円筒状のレンズ枠を成型する金型において、該直進溝に円筒厚みの径方向の途中に、円周方向に沿う円周面である上記外型スライドにより形成された段差面部、若しくは、溝幅中心と円筒中心とを結ぶ線分に対し直交する平面である上記外型スライドにより段差面部を形成し、該段差面部を境に、内径側溝と、円筒部内径側の内径溝の溝幅より幅広い溝幅の外径側溝とを形成し、該内径側溝は互いに対向する一対の内壁面を有し、該一対の内壁面の一方の内壁面は上記内型スライドにて形成し、他方の内壁面は外型スライドにより形成し、該外径側溝は一対の面からなり該一対の壁面の一方の内壁面は上記外型スライドにより形成し、他方の内壁面も上記外型スライドにより形成する。
【発明の効果】
【００１０】
本発明によると、金型により成形が可能であり、複数の直進溝を備えた耐衝撃性の高い円筒状のレンズ枠、および、該円筒状のレンズ枠を製作するための金型を提供することができる。
【図面の簡単な説明】
【００１１】
【図１】本発明の一実施形態のレンズ枠である直進ガイド枠を含むレンズ鏡筒の分解斜視図
【図２】図１のレンズ鏡筒の非撮影状態である沈胴状態における光軸に沿った縦断面図
【図３】図１のレンズ鏡筒の撮影可能なワイド状態における光軸に沿った縦断面図
【図４】図２のIV−IV断面図
【図５】図１に示す直進ガイド枠およびカム枠に対して二群枠のガイド部およびカムフォロアが係合した状態を示す光軸直交拡大断面図
【図６】図１に示す直進ガイド枠および該直進ガイド枠を成形するためのスライド型の光軸直交面に沿った断面図であって、上記スライド型の開放状態を示す図
【図７】図１に示す直進ガイド枠および該直進ガイド枠を成形するための上記スライド型の光軸直交面に沿った断面図であって、上記スライド型の型締め状態を示す図
【図８】図７の上記スライド型の型締め状態における上記直進ガイド枠の直進溝まわりの拡大断面図
【図９】従来の直進溝を備えたレンズ枠の成形状態の一例を示す断面図であって、スライド型の型締め状態を示す図
【図１０】従来の直進溝を備えたレンズ枠の成形状態の他の例を示す断面図であって、スライド型の型締め状態を示す図
【図１１】従来の直進溝を備えたレンズ枠の成形状態のさらに他の例を示す断面図であって、スライド型の型締め状態を示す図
【発明を実施するための形態】
【００１２】
本発明の一実施形態であるレンズ枠を備えたレンズ鏡筒１について、図１〜５を用いて説明する。
【００１３】
なお、以下の説明において、本レンズ鏡筒の撮影レンズの光軸を「Ｏ」とし、該光軸Ｏ方向で被写体側を前方（各鏡枠の繰り出し側）、結像側を後方（各鏡枠の繰り込み側）とする。また、各部材の回転方向は、前方側から見た回転方向で示す。但し、本実施形態の場合、光軸Ｏは、レンズ鏡筒１を構成する鏡枠の円筒中心に一致しているものとする。
【００１４】
本実施形態のレンズ鏡筒１は、被写体像を電気信号に変換するための撮像素子を備え、可動鏡枠部材が光軸Ｏ方向前方に繰り出された撮影可能な状態と、光軸Ｏ方向後方に繰り込まれた非撮影の沈胴状態とに伸縮可能なズームレンズ鏡筒である。
【００１５】
詳しくは、本実施形態のレンズ鏡筒１は、図１に示すように固定枠８と、固定枠８に支持され、ズーミング時や沈胴駆動時に回転進退駆動されるカム枠６と、回転規制状態でカム枠６とともに進退する円筒状のレンズ枠である直進ガイド枠７と、回転規制状態で進退移動する一群ユニット４１、二群ユニット４２、三群ユニット４３と、四群枠９と、固定枠８の背面部に撮像ユニット支持板１０を介して装着される撮像ユニット４６と、本レンズ鏡筒１の撮影光学系であって、ズームレンズとして一群レンズ３１、二群レンズ３２、三群レンズ３３およびフォーカスレンズとして四群レンズ３４とを備えている。特に上記直進ガイド枠７は、後述する内型スライドと外型スライドからなる分割金型によって射出成形されるものとする。
【００１６】
固定枠８は、カメラ本体に固着される円筒状の部材であり、光軸Ｏに沿った直進溝８ａと、内周部に光軸Ｏに対して傾斜した傾斜カム溝部と円周に沿いながらやや傾斜した円周カム溝部とが連接されてなるカム溝８ｃと、ロングギヤ１９を収容する凹部とを備えている。また、円筒外方部に撮影レンズのズーミング駆動を行うためのユニットであってズームモータ、ギヤ列を含むズーム駆動ユニット４４と、撮影レンズのフォーカシング駆動を行うためのユニットであってフォーカスモータ、ギヤ列、送りねじおよびガイド軸を含むフォーカス駆動ユニット４５とが組み込まれている。なお、ロングギヤ１９は、上記凹部に回転可能に収容され、光軸Ｏと平行な方向に沿って固定枠８の内周部に歯部が露呈した状態で支持されている。
【００１７】
カム枠６は、固定枠８の内周部に回動進退可能に嵌入する円筒状の部材であり、外周後方部にカムフォロア６ｃと、ロングギヤ１９と噛合可能なギヤ部６ａと、内周部の前方位置に突起部６ｂと、光軸Ｏ方向に斜行する各三本の一群用カム溝６ｃ，二群用カム溝６ｄ，三群用カム溝６ｅとが設けられている。
【００１８】
このカム枠６は、カムフォロア６ｃが固定枠８のカム溝８ｃに摺動可能に嵌入しており、ロングギヤ１９によりギヤ部６ａを介して回転駆動され、その回転により回転しながら沈胴位置から撮影可能なワイド位置まで繰り出され、その後、テレ位置まで光軸Ｏ方向にわずかに進退しながら回転駆動される。なお、ロングギヤ１９は、固定枠８に配置されるズーム駆動ユニット４４のギヤ列を介して回転駆動される。
【００１９】
直進ガイド枠７は、カム枠６の内周部に相対回転可能に嵌入する円筒状の枠部材であり、後端フランジ外周部にガイド突起部７ａと、外周前方部に円周溝７ｂとが設けられ、さらに、内外周を貫通し、光軸Ｏ方向に沿った複数の直進溝として、ストレート状（段なし）の一群用直進溝７ｃ，段付きの二群用直進溝７ｄ，段付きの三群用直進溝７ｅが設けられている。一群用直進溝７ｃ，二群用直進溝７ｄ，三群用直進溝７ｅは、各三本３組からなり、一組の直進溝７ｃ，７ｄ，７ｅは、周方向に上記の順で反時計回りに隣り合って配置されている。各直進溝７ｃ，７ｄ，７ｅの後端フランジ部にカムフォロア挿入用開口部７ｇ，７ｉ，７ｈが設けられている。なお、各直進溝７ｃ，７ｄ，７ｅに詳しい形状および金型による成形方法については、後で説明する。
【００２０】
この直進ガイド枠７は、ガイド突起部７ａを固定枠８の直進溝８ａに摺動可能に嵌入させた状態でカム枠６の内周部に嵌入され、カム枠６の突起部６ｂを円周溝７ｂに嵌入させて組み込まれる。従って、直進ガイド枠７は、カム枠６に対して相対回転可能な状態で支持され、固定枠８により回転規制された状態でカム枠６と光軸Ｏ方向に一体移動する。
【００２１】
一群ユニット４１は、一群枠３の前部に固着される飾り環２と、レンズバリア１５および一群レンズ３１を保持する一群枠３と、遮光枠１７とからなる。
【００２２】
一群枠３は、円筒状の枠部材であり、後端外周部に配され、三組からなる突起状のガイド部３ａとカムフォロア３ｂとを備えている。
【００２３】
この一群枠３は、直進ガイド枠７の内周部に進退可能に嵌入され、ガイド部３ａを一群用直進溝７ｃに、また、カムフォロア３ｂをカム枠６の一群用カム溝６ｃにそれぞれ摺動可能に係合させて組み込まれる。従って、一群枠３は、直進ガイド枠７により回転規制された状態のもとでカム枠６の回転、進退にともなって光軸Ｏ方向に進退移動する。
【００２４】
遮光枠１７は、一群枠３の内周部に嵌入され、付勢バネ（図示せず）により光軸Ｏ後方に付勢され、スライド可能に支持されている。遮光枠１７は、レンズ鏡筒１が撮影可能状態にあるときは、一群枠３に対して所定距離離間して位置し、沈胴状態にあるときは、一群枠３に対して密着した位置に移動する。
【００２５】
二群ユニット４２は、シャッタユニット１８と、二群レンズ３２を保持する二群枠４とからなる。
【００２６】
二群枠４は、円筒状の枠部材であり、後端外周部から径方向外方に突出し、さらに、前方に腕状に延出して配され、光軸Ｏ方向に沿って平行に延び、係合部となるガイド部４ａと、ガイド部４ａの先端部径方向外方に突出して配されるカムフォロア４ｃとを備えている。なお、ガイド部４ａは両幅方向に突出する鍔部４ｂが設けられる。また、上記ガイド部、カムフォロアは、周方向に三組が設けられている。
【００２７】
この二群枠４は、遮光枠１７の内周部に進退可能に挿入され、ガイド部４ａを直進ガイド枠７の二群用直進溝７ｄに、また、カムフォロア４ｃをカム枠６の二群用カム溝６ｄにそれぞれ摺動可能に嵌入させて組み込まれる。従って、二群枠４は、直進ガイド枠７により回転規制された状態のもとでカム枠６の回転、進退にともなって光軸Ｏ方向に進退移動する。
【００２８】
シャッタユニット１８は、二群枠４の前方に付勢バネ（図示せず）により前方側に付勢され、摺動可能な状態で配されている。従って、シャッタユニット１８は、レンズ鏡筒１が撮影可能状態にあるときは、二群枠４に対して所定距離離間して位置し、沈胴状態にあるときは、二群枠４に対して密着した位置に移動する。
【００２９】
三群ユニット４３は、三群レンズ３３を保持する三群枠５からなる。
【００３０】
三群枠５は、円筒状の枠部材であり、後端外周部から径方向外方に突出し、さらに、前方に腕状に延出して配され、光軸Ｏ方向に沿って平行に延び、係合部となるガイド部５ａと、ガイド部５ａの先端部径方向外方に突出して配されるカムフォロア５ｃとを備えている。なお、ガイド部５ａは両幅方向に突出する鍔部５ｂを備えている。また、上記ガイド部、カムフォロアは、周方向に三組が設けられている。
【００３１】
この三群枠５は、二群枠４の内周部に挿入され、ガイド部５ａを直進ガイド枠７の三群用直進溝７ｅに、また、カムフォロア５ｃをカム枠６の三群用カム溝６ｅにそれぞれ摺動可能に嵌入させて組み込まれる。従って、三群枠５は、直進ガイド枠７により回転規制された状態のもとでカム枠６の回転、進退にともなって光軸Ｏ方向に進退移動する。
【００３２】
四群枠９は、四群レンズ３３を保持しており、固定枠８に配されるガイド軸（図示せず）および直進溝８ａより光軸Ｏ方向に進退移動可能に支持されており、レンズ鏡筒１のフォーカス駆動時、沈胴駆動時にフォーカス駆動ユニット４５のフォーカスモータによりギヤ列を介して進退駆動される。
【００３３】
撮像ユニット４６は、保護ガラス板、光学フィルタと、接続用ＦＰＣ（フレキシブルプリント基板）に実装される撮像素子とからなり、固定枠８の背面に固着される撮像ベース板１０に組み付けられている。
【００３４】
ここで、直進ガイド枠７に設けられる一群用直進溝７ｃ，二群用直進溝７ｄ，三群用直進溝７ｅの形状について、図１，５，８を用いて説明する。
【００３５】
一群用直進溝７ｃは、前述したように段なし（ストレート状）の直進溝である。
【００３６】
二群用直進溝７ｄは、直進ガイド枠７の周方向に幅を有した貫通穴からなる被係合部としての段付き直進溝であって、溝係合部断面を示す図５および直進ガイド枠７を含む金型を光軸Ｏと直交する断面で示す図８のように円筒厚み方向の直進溝外周側に配され、光軸Ｏを中心とする円周面（部分円筒面）に沿った段差面部７ｄ1と、該段差面部７ｄ1を境にその内周側に配される内径側溝とその外周側に配され、上記内径側溝よりも幅広である外径側溝を備えている。上記内径側溝は、直進溝７ｅ寄りの第一の内壁面７ｄ0および直進溝７ｃ寄りの第二の内壁面７ｄ00とが対向する直進溝からなる。上記外径側溝は、互いに対向する直進溝７ｅ寄りの第三の内壁面７ｄ2および直進溝７ｃ寄りの第四の内壁面７ｄ3とからなる。
【００３７】
なお、内壁面７ｄ0，７ｄ00および内壁面７ｄ3は、直進溝７ｄの幅中心と光軸Ｏとを結ぶ線に対して平行面である。しかし、内壁面７ｄ2は、後述するように外方側に所定角度開いた面で形成される。また、段差面部７ｄ1は、上述した円周面に替えて直進溝幅中心と光軸Ｏとを結ぶ線分に対して直交する平面で形成されてもよい。
【００３８】
三群用直進溝７ｅは、被係合部となる段付きの直進溝であって、図８に示すように円筒厚み方向の直進溝外周側に配され、光軸Ｏを中心とする円周面（部分円筒面）に沿った段差面部７ｅ1を有しており、段差面部７ｅ1を境にその内周側に配され、内径側溝を形成する互いに対向する一対の内壁面７ｅ０と、段差面部７ｅ１を境にその外周側に配され、上記内径側溝よりも幅広の外径側溝を形成する互いに対向する一対の内壁面７ｅ2とを備えている。
【００３９】
なお、それぞれ対向する内壁面７ｅ0および７ｅ2は、直進溝７ｅの幅中心と光軸Ｏとを結ぶ線に対して平行な面である。また、段差面部７ｅ1は、上述した円周面に替えて直進溝幅中心と光軸Ｏとを結ぶ線分に対して直交する平面であってもよい。
【００４０】
前述したように一群用直進溝７ｃには一群枠３の突起状ガイド部３ａが摺動可能に嵌入する。そして、ガイド部３ａの中央に配されるカムフォロア３ｂは、カム枠６の一群用カム溝６ｃの摺動可能に係合するが、ガイド部３ａが他のガイド部４ａ，５ａのように腕部を有していない。
【００４１】
一群枠３が光軸Ｏ方向の衝撃力を受けたとき、変形によってガイド部３ａが内周側に変位する可能性が少なく、カムフォロア３ｂがカム溝６ｃから抜け出す心配がない。従って、一群用直進溝７ｃにはカムフォロア抜け出し防止用の段差面部が設けられていない。
【００４２】
二群用直進溝７ｄの内壁面７ｄ0，７ｄ00には二群枠４のガイド部４ａが摺動可能に嵌入し、かつ、段差面部７ｄ1にガイド部４ａの上側の周方向に幅を有する鍔部４ｂが摺接する。そして、ガイド部４ａの先端部に配されるカムフォロア４ｃは、カム枠６の二群用カム溝６ｄに摺動可能に係合する（図５）。なお、前述したようにガイド部４ａは、二群枠４の後端部より前方に腕部が延出した状態で設けられている。
【００４３】
二群枠４が光軸Ｏ方向の衝撃力を受けたとき、カムフォロア４ｃを介した力により上記腕部が変形してガイド部４ａ先端が内周側に変位し、カムフォロア４ｃがカム溝６ｄから抜け出す心配がある。しかし、上述のように鍔部４ｂを直進溝７ｄの段差面部７ｄ1に当接させているので、上記ガイド部４ａの内周側への変位が抑えられ、カムフォロア４ｃのカム溝６ｃからの抜け出しが防止される。
【００４４】
三群用直進溝７ｅの対向する内壁面７ｅ0には三群枠５のガイド部５ａが摺動可能に嵌入し、かつ、段差面部７ｅ1にガイド部５ａの上側の周方向に幅を有する鍔部５ｂが摺接する。そして、ガイド部５ａの先端部に配されるカムフォロア５ｃは、カム枠６の三群用カム溝６ｅに摺動可能に係合する。なお、前述したようにガイド部５ａは、三群枠５の後端部より前方に腕部が延出した状態で設けられている。
【００４５】
三群枠５が光軸Ｏ方向の衝撃力を受けたとき、カムフォロア５ｃを介した力により腕部の変形してガイド部５ａの先端が内周側に変位し、カムフォロア５ｃがカム溝６ｅから抜け出す心配がある。しかし、上述のように鍔部５ｂを直進溝７ｅの段差面部７ｅ1に当接させているので、上記ガイド部５ａの内周側への変位が抑えられ、カムフォロア５ｃのカム溝６ｅからの抜け出しが防止される。
【００４６】
次に、上述した形状を有する直進ガイド枠７の特に直進溝部、および、段付き直進溝部を形成するための射出成形用スライド金型について、図６〜８を用いて説明する。
【００４７】
上記スライド金型は、図６，７に示すように周方向に分割されたスライド金型であって、内型スライド５１，５１Ａ，５１Ｂと５２，５２Ａ，５２Ｂおよび外型スライド５３，５３Ａ，５３Ｂと５４，５４Ａ，５４Ｂからなる。
【００４８】
上記スライド金型のうち、一組の金型であって、それぞれが対となる内型スライド５１と外型スライド５３および内型スライド５２と外型スライド５４について説明する。他の組の金型も同一の構造を有しており、その説明は省略する。
【００４９】
対となる内型スライド５１と外型スライド５３は、直進ガイド枠７の直進溝７ｃ含む枠部分を成形する金型セットである。内型スライド５１は、その外周面上に直進溝７ｃを成形するための凸部５１ａを備えており、直進溝７ｃの溝幅中心と光軸Ｏ（型中心）とを結ぶ線に沿ったスライド方向±Ｄ１、すなわち、型中心に向かう方向と型中心から離れる方向にスライドする。外型スライド５３は、光軸Ｏ、すなわち、型中心に向かうまた離れる方向のスライド方向±Ｄ３にスライドする。上記スライド方向に沿って型開閉が行われ、直進溝７ｃがアンダーカット部分のない状態で成形される。
【００５０】
対となる内型スライド５２と外型スライド５４は、直進ガイド枠７の互いに隣接する直進溝７ｄ，７ｅを含む枠部分を成形する金型セットである。内型スライド５２は、直進ガイド枠７の内周部を成形する内周型面と、外周面上に直進溝７ｄの一部を成形するための凸部５２ａとを備えている。そして、直進溝７ｄの溝幅中心と光軸Ｏを結ぶ線よりも直進溝７ｅ寄りに傾斜する方向、例えば、直進溝７ｄと直進溝７ｅとの間の略中間と光軸Ｏを結ぶ直線上を内型スライド５２のスライド方向±Ｄ２とする。
【００５１】
外型スライド５４は、直進ガイド枠７の外周部を成形する外周型面と、直進溝７ｄの一部および直進溝７ｅを成形するための２つの凸部５４ａ，５４ｂを備えている。そして、直進溝７ｅの溝幅中心と光軸Ｏを結ぶ線と平行な方向を外型スライド５４のスライド方向±Ｄ４とする。
【００５２】
外型スライド５４の凸部５４ｂは、上述した直進溝７ｅの内壁面７ｅ0，段差面部７ｅ1および内壁面７ｅ2を形成するための同一形状の型面を有し、内型スライド５４のスライド方向−Ｄ４（開放方向）への移動によりアンダーカット部分もなく、直進溝７ｅを成形可能である。
【００５３】
外型スライド５４の凸部５４ａは、内型スライド５２の凸部５２ａと突き合わせにより直進溝７ｄを成形する凸部である。具体的に図８に示すように凸部５４ａには、直進溝７ｄの内壁面７ｄ2，７ｄ3，７ｄ00および段差面部７ｄ1を成形するための型面５４ａ2，５４ａ3，５４ａ00および５４ａ1と、型締め状態で内型スライド５２の凸部５２ａに当接する傾斜突き当て面５４ａ4と、内型スライド５２の外周面および型面５４ａ1の延長面であって、内型スライド５２の凸部５２ａの外周面に当接する当接面とを備えている。
【００５４】
なお、凸部５４ａの型面５４ａ2は、直進溝７ｄの内壁面７ｄ2に対応しているが、内壁面７ｄ2を通る法線方向Ｎとスライド方向−Ｄ４（開放方向）のなす角度αは、９０°以下とする。型面側からいうと、型面５４ａ２を通る法線方向−Ｎ（Ｎ方向の逆方向）とスライド方向−Ｄ４（開放方向）のなす角度は、９０°以上で１８０°以下となる。このように型面５４ａ2の傾斜を設定することにより、直進溝７ｄの内壁面７ｄ2をアンダーカットのない状態で成形することができる。
【００５５】
また、凸部５４ａの傾斜突き当て面５４ａ4は、型締め状態で内型スライド５２の凸部５２ａの傾斜突き当て面５２ａ4と当接する面であり、傾斜突き当て面５４ａ4の法線方向とスライド方向−Ｄ４（開放方向）となす角度は、９０°以上で１８０°以下とする。
【００５６】
内型スライド５２の凸部５２ａは、直進溝７ｄの一方の内壁面７ｄ0を成形するための型面５２ａ0と、型締め状態で外型スライド５４の傾斜突き当て面５４ａ4に当接する傾斜突き当て面５２ａ4と、外型スライド５４の凸部５４ａの型面５４ａ1の延長面に当接する外周当接面とを備えている。
【００５７】
上述した型形状を有する内、外型スライド５１，５３、内、外型スライド５２，５４、および、他の組の金型を用いることによって段付き直進溝を含む直進溝付きの直進ガイド枠７をアンダーカットを生じない状態で成形することができる。
【００５８】
以上、説明した本実施形態のレンズ枠である直進ガイド枠７を備えたレンズ鏡筒１においては、直進ガイド枠７に隣り合う複数の段付き直進溝７ｄ，７ｅを設け、該直進溝に二群枠４，三群枠５の腕状に延出した鍔部４ｂ，５ｂを持つガイド部４ａ，５ａを摺動可能に嵌入させる。さらに、該ガイド部４ａ，５ａの先端に配されるカムフォロア４ｃ，５ｃをカム枠６のカム溝６ｄ，６ｅに摺動可能に係合させる。従って、二群枠４，三群枠５に光軸Ｏ方向の衝撃力が作用したとき、カムフォロア４ｃ，５ｃを介してガイド部４ａ，５ａを内径方向に撓ませる力が作用するが、上記段付き直進溝７ｄ，７ｅの段差面部７ｄ1，７ｅ1の作用により上記撓みが軽減され、カムフォロア４ｃ，５ｃのカム溝６ｄ，６ｅからの外れが防止される。つまり、耐衝撃性が向上する。
【００５９】
そして、段付き直進溝７ｄ，７ｅのうち、外径側溝の一方の内壁面７ｄ2をアンダーカットにならないように傾斜面とし、該内壁面７ｄ2を含む直進溝を形成可能にするためのスライド金型として、上述した構造の内，外型スライド５２，５４を適用し、直進ガイド枠７の射出成形を可能にする。
【００６０】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００６１】
上述のように本発明による円筒状のレンズ枠は、金型により成形可能であって、複数の直進溝を備えた耐衝撃性が高い円筒状のレンズ枠として利用が可能である。
【符号の説明】
【００６２】
７…直進ガイド枠（円筒状のレンズ枠）
７ｄ…直進溝
７ｄ0…内壁面（内径側溝の一方の内壁面）
７ｄ00…内壁面（内径側溝の他方の内壁面）
７ｄ1…段差面部
７ｄ2…内壁面（外径側溝の一方の内壁面）
７ｄ3…内壁面（外径側溝の他方の内壁面）
５２…内型スライド
５４…外型スライド
α…外径側溝の一方の内壁面の法線が外型スライドのスライド方向となす角度
【図１】
2010262237.tif 000003
【図２】
2010262237.tif 000004
【図３】
2010262237.tif 000005
【図４】
2010262237.tif 000006
【図５】
2010262237.tif 000007
【図６】
2010262237.tif 000008
【図７】
2010262237.tif 000009
【図８】
2010262237.tif 000010
【図９】
2010262237.tif 000011
【図１０】
2010262237.tif 000012
【図１１】
2010262237.tif 000013